(57)【要約】【課題】  所定半径の円周上に複数の光源を所定間隔で配置した照明装置において、照明装置全体の照射範囲の輪郭を円形形状のものにし、かつ、円形形状の照射範囲内の輝度ムラを低減する。【解決手段】  所定半径の基準円の円周上に複数の光源１ａ，１ｂ，１ｃを所定間隔で配置した照明装置であって、基準円の半径よりも大きな基準円の同心円を外周円とし、外周円で囲まれる範囲が照明装置の照射範囲として画定され、１つの光源（例えば１ａ）に着目するとき、光源１ａと光源１ａに隣接する光源とを結ぶ線分の垂直二等分線と外周円とによって囲まれる範囲が光源１ａの照射範囲として画定され、光源１ａの照射範囲において光源１ａの周囲には、光源１ａからの光を反射して出射するリフレクタ６ａが設けられ、リフレクタ６ａは、光源１ａからの光を反射して光源１ａの光軸と平行な方向に出射する、光源１ａからの距離に応じた曲面を、反射面として有している。【選択図】      図１３
2012064491.tif 000002
【特許請求の範囲】
【請求項１】
所定半径の基準円の円周上に複数の光源を所定間隔で配置した照明装置であって、前記基準円の半径よりも大きな前記基準円の同心円を外周円とし、該外周円で囲まれる範囲が該照明装置の照射範囲として画定され、１つの光源に着目するとき、該光源と該光源に隣接する光源とを結ぶ線分の垂直二等分線と前記外周円とによって囲まれる範囲が該光源の照射範囲として画定され、該光源の照射範囲において該光源の周囲には、該光源からの光を反射して出射するリフレクタが設けられており、該リフレクタは、該光源からの光を反射して該光源の光軸と平行な方向に出射する、該光源からの距離に応じた曲面を、反射面として有していることを特徴とする照明装置。
【請求項２】
請求項１記載の照明装置において、前記リフレクタは、複数のリフレクタ部材に分割されており、各リフレクタ部材は、前記光源からの光を反射して前記光源の光軸と平行な方向に出射する、前記光源からの距離に応じた曲面を、反射面として有していることを特徴とする照明装置。
【請求項３】
請求項２記載の照明装置において、前記リフレクタ部材を構成する面が、球面の一部からなる微小な面により構成されており、前記光源からの距離が遠くなるにつれて、前記リフレクタ部材の微小な面の曲率半径が大きくなっていることを特徴とする照明装置。
【発明の詳細な説明】
【技術分野】
【０００１】
本発明は、照明装置に関する。
【背景技術】
【０００２】
従来、例えば特許文献１には、輝度ムラを軽減することを意図したＬＥＤ光源装置が示されている。
【０００３】
図１は、特許文献１のＬＥＤ光源装置を示す図である。図１を参照すると、特許文献１のＬＥＤ光源装置は、複数のＬＥＤ６６を列状に配列したものとなっており、回転放物面あるいは回転楕円面の反射面５２が各ＬＥＤ６６ごとに形成された反射体５４を備え、前記反射体５４の反射面５２のそれぞれは、前記回転放物面あるいは回転楕円面の連接する一部がオーバーラップするように形成されている。
【０００４】
しかしながら、特許文献１のＬＥＤ光源装置では、列状に配列した複数のＬＥＤ６６によるＬＥＤ光源装置の照射範囲の輪郭は、図２に符号８０で示すように波状のものとなってしまい、照射範囲の輪郭を図３に符号８１で示すような直線形状のものにすることができないという問題があった。
【０００５】
なお、特許文献１のＬＥＤ光源装置では、複数のＬＥＤが列状に配列されたものとなっているが、従来では、図４に示すように、複数の光源（例えば、３個のＬＥＤ）１ａ，１ｂ，１ｃが所定半径の基準円７の円周上に所定間隔で配置されている場合にも、それぞれの光源１ａ，１ｂ，１ｃに対するレンズやリフレクタなどの光学系を設けると、その光学系の形状が照射範囲の輪郭となるために、照射範囲の輪郭を本来要求される図５に示すような１つの円形形状２のものにすることができない。図６、図７には、複数の光源（例えば、３個のＬＥＤ）１ａ，１ｂ，１ｃが所定半径の基準円７の円周上に所定間隔で配置されている場合に、全体の照射範囲の輪郭を１つの円形形状のものにすることができない例が示されている。すなわち、図６の例では、複数の光源１ａ，１ｂ，１ｃの照射範囲７０ａ，７０ｂ，７０ｃが重なり合っていないため、全体の照射範囲の輪郭は、それぞれ別個の３つの円形形状９０ａ，９０ｂ，９０ｃのものとなってしまう。また、図７の例では、複数の光源１ａ，１ｂ，１ｃの照射範囲７１ａ，７１ｂ，７１ｃが重なり合っているが、全体の照射範囲の輪郭は、円形形状のものとはならず、図７に符号９１で示すように波状のものとなってしまう。
【先行技術文献】
【特許文献】
【０００６】
【特許文献１】特開２００９−１１０８２８号公報
【発明の概要】
【発明が解決しようとする課題】
【０００７】
本発明は、所定半径の円周上に複数の光源を所定間隔で配置した照明装置において、照明装置全体の照射範囲の輪郭を円形形状のものにすることができ、かつ、照明装置全体の照射範囲内（円形形状の照射範囲内）の輝度ムラ（照度ムラ）を低減することの可能な照明装置を提供することを目的としている。
【課題を解決するための手段】
【０００８】
上記課題を解決するために、請求項１記載の発明は、所定半径の基準円の円周上に複数の光源を所定間隔で配置した照明装置であって、前記基準円の半径よりも大きな前記基準円の同心円を外周円とし、該外周円で囲まれる範囲が該照明装置の照射範囲として画定され、１つの光源に着目するとき、該光源と該光源に隣接する光源とを結ぶ線分の垂直二等分線と前記外周円とによって囲まれる範囲が該光源の照射範囲として画定され、該光源の照射範囲において該光源の周囲には、該光源からの光を反射して出射するリフレクタが設けられており、該リフレクタは、該光源からの光を反射して該光源の光軸と平行な方向に出射する、該光源からの距離に応じた曲面を、反射面として有していることを特徴としている。
【０００９】
また、請求項２記載の発明は、請求項１記載の照明装置において、前記リフレクタは、複数のリフレクタ部材に分割されており、各リフレクタ部材は、前記光源からの光を反射して前記光源の光軸と平行な方向に出射する、前記光源からの距離に応じた曲面を、反射面として有していることを特徴としている。
【００１０】
また、請求項３記載の発明は、請求項２記載の照明装置において、前記リフレクタ部材を構成する面が、球面の一部からなる微小な面により構成されており、前記光源からの距離が遠くなるにつれて、前記リフレクタ部材の微小な面の曲率半径が大きくなっていることを特徴としている。
【発明の効果】
【００１１】
請求項１乃至請求項３記載の発明によれば、所定半径の基準円の円周上に複数の光源を所定間隔で配置した照明装置であって、前記基準円の半径よりも大きな前記基準円の同心円を外周円とし、該外周円で囲まれる範囲が該照明装置の照射範囲として画定され、１つの光源に着目するとき、該光源と該光源に隣接する光源とを結ぶ線分の垂直二等分線と前記外周円とによって囲まれる範囲が該光源の照射範囲として画定され、該光源の照射範囲において該光源の周囲には、該光源からの光を反射して出射するリフレクタが設けられており、該リフレクタは、該光源からの光を反射して該光源の光軸と平行な方向に出射する、該光源からの距離に応じた曲面を、反射面として有しているので、照明装置全体の照射範囲の輪郭を円形形状のものにすることができ、かつ、照明装置全体の照射範囲内（円形形状の照射範囲内）の輝度ムラ（照度ムラ）を低減できる。
【図面の簡単な説明】
【００１２】
【図１】特許文献１のＬＥＤ光源装置を示す図である。
【図２】特許文献１のＬＥＤ光源装置の照射範囲を示す図である。
【図３】列状に配列した複数のＬＥＤによるＬＥＤ光源装置の理想的な照射範囲の形状を示す図である。
【図４】所定半径の基準円の円周上に所定間隔で配置されている複数の光源を示す図である。
【図５】複数の光源が所定半径の基準円の円周上に所定間隔で配置されている本発明の照明装置の照射範囲を示す図である。
【図６】複数の光源が所定半径の基準円の円周上に所定間隔で配置されている従来の照明装置の照射範囲の一例を示す図である。
【図７】複数の光源が所定半径の基準円の円周上に所定間隔で配置されている従来の照明装置の照射範囲の他の例を示す図である。
【図８】本発明に係る照明装置を説明するための図である。
【図９】本発明に係る照明装置を説明するための図である。
【図１０】基準円の半径よりも大きな基準円の同心円としての外周円の設定の仕方の一例を示す図である。
【図１１】基準円の半径よりも大きな基準円の同心円としての外周円の設定の仕方の他の例を示す図である。
【図１２】基準円の半径よりも大きな基準円の同心円としての外周円の設定の仕方の他の例を示す図である。
【図１３】本発明の照明装置の構成例を示す斜視図である。
【図１４】図１３の平面図である。
【図１５】焦点距離が異なる２種類の放物面（放物線）を示す図である。
【図１６】図１４の断面図である。
【図１７】図１３、図１４の例の照明装置において、光源から出射される光の光路を示す図である。
【図１８】光源からの距離が遠くなるにつれて、リフレクタ部材の微小な面の曲率半径が大きくなっている一例を示す図である。
【図１９】白色ＬＥＤ光源を示す図である。
【図２０】光利用効率の高い照明装置とする上での、リフレクタ部材のサイズ、形状（反射面の角度および曲率）を説明するための図である。
【発明を実施するための最良の形態】
【００１３】
以下、本発明を実施するための最良の形態を図面に基づいて説明する。
【００１４】
図８、図９は本発明に係る照明装置を説明するための図である。
【００１５】
図８を参照すると、本発明の照明装置は、所定半径の基準円７の円周上に複数（図８の例では、３個）の光源１ａ，１ｂ，１ｃを所定間隔で配置した照明装置であって、前記基準円７の半径よりも大きな前記基準円７の同心円２を外周円とし、該外周円２（図５に示した照射範囲の輪郭２と同じ）で囲まれる範囲（図５に示す範囲４）が該照明装置の照射範囲として画定され、１つの光源（例えば１ａ）に着目するとき、図９に示すように、該光源１ａと該光源１ａに隣接する光源１ｂ，１ｃとを結ぶ線分の垂直二等分線３ａ，３ｂと前記外周円２とによって囲まれる範囲（図９に斜線で示す範囲）４ａが該光源１ａの照射範囲として画定されるようになっている。同様にして、光源１ｂに着目するとき、該光源１ｂと該光源１ｂに隣接する光源１ａ，１ｃとを結ぶ線分の垂直二等分線３ｂ，３ｃと前記外周円２とによって囲まれる範囲４ｂが該光源１ｂの照射範囲として画定されるようになっている。また、光源１ｃに着目するとき、該光源１ｃと該光源１ｃに隣接する光源１ｂ，１ａとを結ぶ線分の垂直二等分線３ｃ，３ａと前記外周円２とによって囲まれる範囲４ｃが該光源１ｃの照射範囲として画定されるようになっている。
【００１６】
なお、基準円７の半径よりも大きな基準円７の同心円としての外周円２は、図１０、図１１、図１２にそれぞれ示す仕方のいずれかによって設定されるようになっている。
【００１７】
すなわち、図１０の仕方では、基準円７の半径よりも大きな基準円７の同心円としての外周円２は、各光源１ａ，１ｂ，１ｃを中心とした同じ半径の円５ａ，５ｂ，５ｃを、互いに隣接する光源の円と接しないように設定するとき、該設定された各光源１ａ，１ｂ，１ｃの各円５ａ，５ｂ，５ｃに外接する外周円として設定される。
【００１８】
また、図１１の仕方では、基準円７の半径よりも大きな基準円７の同心円としての外周円２は、各光源１ａ，１ｂ，１ｃを中心とした同じ半径の円５ａ，５ｂ，５ｃを、互いに隣接する光源の円と接するように設定するとき、該設定された各光源１ａ，１ｂ，１ｃの各円５ａ，５ｂ，５ｃに外接する外周円として設定される。
【００１９】
また、図１２の仕方では、基準円７の半径よりも大きな基準円７の同心円としての外周円２は、各光源１ａ，１ｂ，１ｃを中心とした同じ半径の円５ａ，５ｂ，５ｃを、互いに隣接する光源の円と一部が重なり合うように設定するとき、該設定された各光源１ａ，１ｂ，１ｃの各円５ａ，５ｂ，５ｃに外接する外周円として設定される。
【００２０】
このように、基準円７の半径よりも大きな基準円７の同心円としての外周円２を、図１０、図１１、図１２にそれぞれ示す仕方のいずれかによって設定することができるが、後述のように、各光源１ａ，１ｂ，１ｃの照射範囲４ａ，４ｂ，４ｃにおいて各光源１ａ，１ｂ，１ｃの周囲に配置されるリフレクタの構造や設計を複雑化させずに、外周円２で囲まれる該照明装置の照射範囲４における輝度ムラ（照度ムラ）を低減するには、図１１、図１２に示す仕方、すなわち各光源１ａ，１ｂ，１ｃを中心とした同じ半径の円５ａ，５ｂ，５ｃを、互いに隣接する光源の円と接するか、または、一部が重なり合うように設定する仕方が好ましい。
【００２１】
そして、本発明の照明装置では、外周円２で囲まれる各光源１ａ，１ｂ，１ｃの各照射範囲４ａ，４ｂ，４ｃにおいて、例えば図１３に斜視図で示すように、各光源１ａ，１ｂ，１ｃの周囲には、各光源１ａ，１ｂ，１ｃからの光を反射して出射するリフレクタ（本実施例では、放物面を反射面としてもつ放物面リフレクタとする）６ａ，６ｂ，６ｃが設けられ、各リフレクタ（放物面リフレクタ）６ａ，６ｂ，６ｃは、各光源１ａ，１ｂ，１ｃからの距離が遠くなるにつれて放物面の焦点距離が大きくなるように設計されている。
【００２２】
なお、図１３の例では、各リフレクタ６ａ，６ｂ，６ｃは、所定の焦点距離の放物面を反射面としてもつ複数のリフレクタ部材（放物面リフレクタ部材）に分割されている。
【００２３】
図１４は図１３の平面図であり、図１４には、各リフレクタ（放物面リフレクタ）６ａ，６ｂ，６ｃが所定の焦点距離の放物面を反射面としてもつ複数のリフレクタ部材に分割されている様子が詳細に示されている。図１４を参照すると、１つの光源（例えば１ａ）についてのリフレクタ６ａに着目するとき、このリフレクタ６ａは、ある角度ごとに、所定の焦点距離の放物面を反射面としてもつ複数のリフレクタ部材６−１，・・・，６−ｎ，・・・に分割されており、光源１ａから遠い距離にあるリフレクタ部材（例えば６−ｎ）は、光源１ａから近い距離にあるリフレクタ部材（例えば６−１）よりも、放物面の焦点距離が大きくなっている。
【００２４】
図１５には、焦点距離が異なる２種類の放物面（放物線）Ｋ−１，Ｋ−ｎが示されており、放物面（放物線）Ｋ−１は光源１に対して焦点距離がＦ１であり、放物面（放物線）Ｋ−ｎは光源１に対して焦点距離がＦｎであって、放物面（放物線）Ｋ−ｎの焦点距離Ｆｎは、放物面（放物線）Ｋ−１の焦点距離Ｆ１よりも大きくなっている。
【００２５】
従って、光源１ａから近い距離にあるリフレクタ部材（例えば６−１）を、例えば焦点距離Ｆ１の放物面Ｋ−１の反射面をもつものにし（例えば図６や図７に示したような従来の照明装置で用いられているリフレクタと同じ焦点距離をもつ放物面のものにし）、光源１ａから遠い距離にあるリフレクタ部材（例えば６−ｎ）を、例えば焦点距離Ｆｎの放物面Ｋ−ｎの反射面をもつものにし、リフレクタ部材６−１とリフレクタ部材６−ｎとの間のリフレクタ部材を、リフレクタ部材６−１からリフレクタ部材６−ｎへ近づくにつれて焦点距離が大きくなる（焦点距離Ｆ１から焦点距離Ｆｎまでの間の焦点距離をもつ）形状の放物面の反射面をもつものにすることで、光源１ａから遠い距離にあるリフレクタ部材を、光源１ａから近い距離にあるリフレクタ部材よりも焦点距離が大きな形状の放物面の反射面をもつものにすることができる。
【００２６】
なお、図１６（ａ）は図１４のＡ−Ａ線における断面図、図１６（ｂ）は図１４のＢ−Ｂ線における断面図であり、図１６（ａ）から、光源１ａから近い距離にあるリフレクタ部材６−１が例えば焦点距離Ｆ１の放物面（放物線）Ｋ−１の反射面をもつものであり、図１６（ｂ）から、光源１ａから遠い距離にあるリフレクタ部材６−ｎが、例えば焦点距離Ｆｎの放物面（放物線）Ｋ−ｎの反射面をもつものであることがわかる。
【００２７】
また、図１３、図１４の例は、図１２に示す仕方、すなわち各光源１ａ，１ｂ，１ｃを中心とした同じ半径の円５ａ，５ｂ，５ｃを、互いに隣接する光源の円の一部が重なり合うような仕方で設計されており、この場合、互いに隣接する光源の円の一部が重なり合うところまでのみリフレクタ部材は存在する。すなわち、図１６（ａ）に示すように、光源１ａについてのリフレクタ部材６−１は、円５ａと円５ｃとが重なり合う符号３ａに示すところで、光源１ｃについてのリフレクタ部材とぶつかりあうので、ぶつかりあうところまでのみ存在する。
【００２８】
また、図１７には、図１３、図１４の例の照明装置において、光源１ａから出射される光の光路が示されている。図１７の例では、リフレクタ部材６−１は、光源１ａからの光を反射して該光源の光軸と平行な方向に出射する放物面（焦点距離Ｆ１の放物面Ｋ−１）を有している。また、図示しないが、光源１ａに対してリフレクタ部材６−１よりも遠い距離に位置するリフレクタ部材６−ｎは、光源１ａからの光を反射して該光源の光軸と平行な方向に出射する放物面（焦点距離Ｆｎの放物面Ｋ−ｎ）を有している。
【００２９】
換言すれば、本発明では、１つの光源（例えば１ａ）に着目するとき、この光源１ａの照射範囲４ａにおいて、この光源１ａの周囲に配置されるリフレクタ６ａは、この光源１ａからの光を反射してこの光源１ａの光軸と平行な方向に出射する、この光源１ａからの距離に応じた曲面（本実施例では、放物面）を、反射面として有している。
【００３０】
また、リフレクタ６ａが複数のリフレクタ部材６−１，・・・，６−ｎ，・・・に分割されているとき、各リフレクタ部材６−１，・・・，６−ｎ，・・・は、前記光源１ａからの光を反射して前記光源１ａの光軸と平行な方向に出射する、前記光源１ａからの距離に応じた曲面（本実施例では、放物面Ｋ−１，・・・，Ｋ−ｎ，・・・）を、反射面として有している。
【００３１】
このように、本発明の照明装置では、所定半径の基準円の円周上に複数の光源を所定間隔で配置した照明装置であって、前記基準円の半径よりも大きな前記基準円の同心円を外周円とし、該外周円で囲まれる範囲が該照明装置の照射範囲として画定され、１つの光源に着目するとき、該光源と該光源に隣接する光源とを結ぶ線分の垂直二等分線と前記外周円とによって囲まれる範囲が該光源の照射範囲として画定され、該光源の照射範囲において該光源の周囲には、該光源からの光を反射して出射するリフレクタ（本実施例では、放物面を反射面としてもつ放物面リフレクタ）が設けられており、該リフレクタは、該光源からの距離が遠くなるにつれて放物面の焦点距離が大きくなっているので（より広義には、該リフレクタは、該光源からの光を反射して該光源の光軸と平行な方向に出射する、該光源からの距離に応じた曲面を、反射面として有しているので）、照明装置全体の照射範囲の輪郭を円形形状のものにすることができ、かつ、照明装置全体の照射範囲内（円形形状の照射範囲内）の輝度ムラ（照度ムラ）を低減できる。
【００３２】
また、上述した本発明の照明装置において、リフレクタ部材を構成する面が、球面の一部からなる微小な面により構成されており、光源からの距離が遠くなるにつれて、リフレクタ部材６の微小な面の曲率半径が大きくなるようにすることもできる。
【００３３】
図１８には、光源１（例えば光源１ａ）からの距離が遠くなるにつれて、リフレクタ部材６（光源１ａに対応する各リフレクタ部材６−１，・・・，６−ｎ，・・・）の微小な面９の曲率半径が大きくなっている一例が示されている。
【００３４】
このように、光源１（例えば光源１ａ）からの距離が遠くなるにつれて、リフレクタ部材６（光源１ａに対応する各リフレクタ部材６−１，・・・，６−ｎ，・・・）の微小な面９の曲率半径が大きくなっていることによって、さらに色ムラをも低減することができ、また、輝度ムラ（照度ムラ）をより一層低減できる。
【００３５】
すなわち、図１９には、光源１として白色ＬＥＤ光源が示されており、一般に、白色ＬＥＤ光源１では、白色ＬＥＤ光源１のもつ光学特性のうち、光軸方向には白色の光となる一方で、光軸に対して直交に近い角度の光ほど、そのパッケージの蛍光体内を通過する光路長が長いため、黄色に近い光となってしまい、このままだと、白色の光と黄色に近い光との色ムラが生じることがある。これを防止するためには、リフレクタ部材６の反射する微小な面の曲率半径を小さくすることで、ある範囲内で光を散らし、光軸方向の白色の光からそれに直交する黄色に近い光までを混ぜ合わせることによって、色ムラの問題を低減できることを、本願の発明者は見出した。色ムラの問題を低減できる効果をさらに引き出すには、図１８に示したように、光源１（例えば光源１ａ）からの距離が遠くなるにつれて、リフレクタ部材６（光源１ａに対応する各リフレクタ部材６−１，・・・，６−ｎ，・・・）の微小な面９の曲率半径を大きく構造とすることが適していることを本願の発明者はさらに見出した。このように、光源１（例えば光源１ａ）からの距離が遠くなるにつれて、リフレクタ部材６（光源１ａに対応する各リフレクタ部材６−１，・・・，６−ｎ，・・・）の微小な面９の曲率半径を大きくすることによって、色ムラをも効果的に低減することができ、また、輝度ムラ（照度ムラ）をより一層低減できる。
【００３６】
また、ある１つのリフレクタ部材で反射された光は、このリフレクタ部材あるいは他のリフレクタ部材で再び反射されることなく出射されるのが、光利用効率の高い照明装置とする上で好ましく、リフレクタ部材６のサイズ、形状（反射面の角度および曲率）などは、このことを考慮して設計されるのが好ましい。図２０には、ある１つのリフレクタ部材で反射された光が、このリフレクタ部材あるいは他のリフレクタ部材で再び反射されることなく出射されることを考慮して（具体的には、リフレクタ部材６の根本に当たった光が光軸に対して角度θで反射しても、このリフレクタ部材６あるいは他のリフレクタ部材６に当たらないように）、サイズ（Ｘ１，Ｘ２，Ｙ）、形状（反射面の角度および曲率）が設計されたリフレクタ部材６の例が示されている。なお、図２０の例は、図１１に示す仕方、すなわち各光源１ａ，１ｂ，１ｃを中心とした同じ半径の円５ａ，５ｂ，５ｃを、互いに隣接する光源の円と接するような仕方で設計されたものとなっている。このようなリフレクタ部材６を用いることにより、照度向上におけるＬＥＤ光源における色ムラの問題、および、多重影の問題を低減することができる。
【００３７】
上述した各例では、所定半径の基準円７の円周上に所定間隔で配置した複数の光源の個数を３個としたが、所定半径の基準円７の円周上に所定間隔で配置する複数の光源の個数は、２個でもよいし、３個以上でも良い。
【００３８】
また、上述した各例では、リフレクタ（例えば６ａ）が、複数のリフレクタ部材６−１，・・・，６−ｎ，・・・に分割されているとしたが、リフレクタ（例えば６ａ）を、分割されていない単一の部材で（単一のリフレクタとして）構成することも可能である。
【００３９】
また、上述した各例では、リフレクタ６ａ，６ｂ，６ｃが放物面を反射面としてもつ放物面リフレクタであるとし、リフレクタ部材６が放物面リフレクタ部材であるとして説明したが、リフレクタ６ａ，６ｂ，６ｃ、リフレクタ部材６は、光源からの光を反射して該光源の光軸と平行な方向に出射する、該光源からの距離に応じた曲面を、反射面として有しているものであれば、放物面のものに限定されない。例えば、リフレクタ６ａ，６ｂ，６ｃ、リフレクタ部材６に、放物面のかわりに、放物面を基調とした曲面などを反射面としてもつリフレクタ、リフレクタ部材を用いることもできる。
【００４０】
換言すれば、本発明は、所定半径の基準円の円周上に複数の光源を所定間隔で配置した照明装置であって、前記基準円の半径よりも大きな前記基準円の同心円を外周円とし、該外周円で囲まれる範囲が該照明装置の照射範囲として画定され、１つの光源に着目するとき、該光源と該光源に隣接する光源とを結ぶ線分の垂直二等分線と前記外周円とによって囲まれる範囲が該光源の照射範囲として画定され、該光源の照射範囲において該光源の周囲には、該光源からの光を反射して出射する所定曲面の反射面をもつリフレクタが設けられており、該リフレクタは、該光源からの距離が遠くなるにつれて前記所定曲面の焦点距離が大きくなっていることを特徴としている。
【００４１】
また、本発明は、前記リフレクタが、所定の焦点距離の所定曲面の反射面をもつ複数のリフレクタ部材に分割されており、前記光源から遠い距離にあるリフレクタ部材は、前記光源から近い距離にあるリフレクタ部材よりも、前記所定曲面の焦点距離が大きくなっていることを特徴としている。
【００４２】
より広義には、本発明は、所定半径の基準円の円周上に複数の光源を所定間隔で配置した照明装置であって、前記基準円の半径よりも大きな前記基準円の同心円を外周円とし、該外周円で囲まれる範囲が該照明装置の照射範囲として画定され、１つの光源に着目するとき、該光源と該光源に隣接する光源とを結ぶ線分の垂直二等分線と前記外周円とによって囲まれる範囲が該光源の照射範囲として画定され、該光源の照射範囲において該光源の周囲には、該光源からの光を反射して出射するリフレクタが設けられており、該リフレクタは、該光源からの光を反射して該光源の光軸と平行な方向に出射する、該光源からの距離に応じた曲面を、反射面として有していることを特徴としている。
【００４３】
また、本発明は、前記リフレクタが複数のリフレクタ部材に分割されており、各リフレクタ部材は、前記光源からの光を反射して前記光源の光軸と平行な方向に出射する、前記光源からの距離に応じた曲面を、反射面として有していることを特徴としている。
【００４４】
このように、リフレクタ６ａ，６ｂ，６ｃ、リフレクタ部材６が、放物面のものではなくても、光源からの光を反射して前記光源の光軸と平行な方向に出射する、前記光源からの距離に応じた曲面を、反射面として有しているものであれば、本発明の上記構成により、照明装置全体の照射範囲の輪郭を円形形状のものにすることができ、かつ、照明装置全体の照射範囲内（円形形状の照射範囲内）の輝度ムラ（照度ムラ）を低減できるという効果が得られる。
【産業上の利用可能性】
【００４５】
本発明は、一般照明、自動車用照明などに利用可能である。
【符号の説明】
【００４６】
１ａ，１ｂ，１ｃ  光源
２  外周円（照射範囲の輪郭）
３ａ，３ｂ，３ｃ  垂直二等分線
４ａ，４ｂ，４ｃ  各光源の照射範囲
６ａ，６ｂ，６ｃ  リフレクタ
７  基準円
９  微小な面
【図１】
2012064491.tif 000003
【図２】
2012064491.tif 000004
【図３】
2012064491.tif 000005
【図４】
2012064491.tif 000006
【図５】
2012064491.tif 000007
【図６】
2012064491.tif 000008
【図７】
2012064491.tif 000009
【図８】
2012064491.tif 000010
【図９】
2012064491.tif 000011
【図１０】
2012064491.tif 000012
【図１１】
2012064491.tif 000013
【図１２】
2012064491.tif 000014
【図１３】
2012064491.tif 000015
【図１４】
2012064491.tif 000016
【図１５】
2012064491.tif 000017
【図１６】
2012064491.tif 000018
【図１７】
2012064491.tif 000019
【図１８】
2012064491.tif 000020
【図１９】
2012064491.tif 000021
【図２０】
2012064491.tif 000022